(57)【要約】【課題】マグロの稚魚等の輸送に際し、広大な回遊空間を確保して共食い防止、ストレス解消、個体それぞれの損傷防止等を図り、輸送中でも生育を促進できるようにする。【解決手段】支持部材として立脚した複数のコア柱体１０それぞれの周囲を半ば巻回するように、また交互に左右の旋回方向を変更しながら連続したエンドレス状の密閉された流水路２０を形成し、この流水路２０中で一方向にのみ流れる水流を生成し、この水流中で活魚Ｆを生育しながら輸送する。流水路２０は、並列配置したコア柱体１０それぞれの外周に沿っている円弧状の周回部２２と、この周回部２２の端部部位では上下に少なくとも周回部２２の高さ間隔で段差を設定して、一方の周回部２２の端部は他方の周回部２２の端部に上下方向で傾斜接続していて、コア柱体１０相互の間で平面から見て互いに交差させた状態にある周回接続部２３とを一体状に連続することで構成する。【選択図】図１
2011062130.tif 000002
【特許請求の範囲】
【請求項１】
連続しているエンドレス状の密閉された流水路を形成し、この流水路中に生成した一方向にのみ流れる水流中で活魚を生育しながら輸送することを特徴とした活魚類の輸送方法。
【請求項２】
交互に左右の旋回方向を変更しながら連続しているエンドレス状の密閉された流水路を形成し、この流水路中に生成した一方向にのみ流れる水流中で活魚を生育しながら輸送することを特徴とした活魚類の輸送方法。
【請求項３】
流水路は、設置面に配設した支持部材によって支持されている請求項１または２に記載の活魚類の輸送方法。
【請求項４】
支持部材は、外周が円弧状になっている柱状のコア柱体であり、立脚されている複数のコア柱体それぞれの周囲を半ば巻回するように、相互に並列するコア柱体で交互に左右の旋回方向を変更しながら連続しているエンドレス状に形成した密閉された流水路中に、一方向にのみ流れる水流を生成し、この水流中で活魚を生育しながら輸送することを特徴とした活魚類の輸送方法。
【請求項５】
輸送機関による輸送スペースに対応して形成された外殻フレームと、この外殻フレーム内で配設される支持部材と、この支持部材によって支持されることで、交互に左右の旋回方向を変更しながらエンドレス状に連続形成され、一定方向の水流が内部に生成されている密閉された流水路とを備えて成ることを特徴とする活魚類の輸送装置。
【請求項６】
流水路は、ほぼ水平状で配置された円弧状の周回部と、この周回部の端部部位では上下に少なくとも周回部の高さ間隔で段差が設定されており、一方の周回部の端部は他方の周回部の端部に上下方向で傾斜して接続されていて、平面から見て互いに傾斜交差させた状態にある周回接続部とを一体状に連続することで構成されている請求項５に記載の活魚類の輸送装置。
【請求項７】
流水路は、ほぼ傾斜状で配置された円弧状の周回部と、この周回部の端部部位ではほぼ同一の高さ位置に設定されており、一方の周回部の端部は他方の周回部の端部にほぼ水平方向で接続されていて、平面から見て互いに水平交差させた状態にある周回接続部とを一体状に連続することで構成されている請求項５に記載の活魚類の輸送装置。
【請求項８】
周回部と周回接続部とは、直接にあるいは中間接続部を介して組立、分離自在に連結してある請求項６または７に記載の活魚類の輸送装置。
【請求項９】
流水路には、流水路に設けた取水口から流水を取り込み、同じく流水路に設けた吐出口から流水路中に一定方向の水流を生じさせて流水を吐出する循環ポンプを備えた水流発生機構を設けてある請求項５乃至８のいずれかに記載の活魚類の輸送装置。
【請求項１０】
支持部材は、外周が円弧状になっている柱状のコア柱体であり、流水路は、並列して対状に配置されているコア柱体それぞれの外周に沿っているそれぞれの円弧状の周回部と、この周回部の端部部位では上下に少なくとも周回部の高さ間隔で段差が設定されており、一方の周回部の端部は他方の周回部の端部に上下方向で傾斜して接続されていて、コア柱体相互の間で平面から見て互いに交差させた状態にある周回接続部とを一体状に連続することで構成されている請求項５または６に記載の活魚類の輸送装置。
【請求項１１】
流水路内に一定方向の水流を生成する水流発生機構が少なくてもいずれか一つのコア柱体内に配装されており、この水流発生機構は、流水路における周回部の内周面で流水路に連通するようコア柱体内に区画形成した水流発生室と、この水流発生室周囲に旋回流を生成するよう水流発生室内に設けたスクリュー体と、流水路内周面部位で水流発生室内とは通水可能にして区画する区画帯とを備えて成る請求項１０に記載の活魚類の輸送装置。
【請求項１２】
エンドレス状に連続形成されて、一定方向の水流が内部に生成されている密閉された流水路を備えて成ることを特徴とする活魚類の養魚システム。
【請求項１３】
交互に左右の旋回方向を変更しながら配される円弧状の周回部と、この旋回方向が異なる周回部を相互に接続している周回接続部とによって、交互に左右の旋回方向を変更しながらエンドレス状に連続形成されて、一定方向の水流が内部に生成されている密閉された流水路を備えて成ることを特徴とする活魚類の養魚システム。
【請求項１４】
流水路は、流水路に設けた取水口から流水を取り込み、同じく流水路に設けた吐出口から流水路中に一定方向の水流を生じさせて流水を吐出する水流発生機構が設けられている請求項１２または１３に記載の活魚類の養魚システム。
【請求項１５】
外周が円弧状になっている柱状のコア柱体を並列配置しておき、並列して対状に配置されているコア柱体それぞれの外周に沿っているそれぞれの円弧状の周回部と、この周回部の端部部位では上下に少なくとも周回部の高さ間隔で段差が設定されており、一方の周回部の端部は他方の周回部の端部に上下方向で傾斜して接続されていて、コア柱体相互の間で平面から見て互いに交差させた状態にある周回接続部とを一体状に連続することで構成されている請求項１２乃至１４のいずれかに記載の活魚類の養魚システム。
【発明の詳細な説明】
【技術分野】
【０００１】
本発明は主としてマグロの稚魚（ヨコワ）を活きたままで、しかもその成長を阻害せずに輸送あるいは陸上で養殖するに好適なものとし、また個体のそれぞれを損傷させることなく生育させる養魚槽としても使用可能な活魚類の輸送方法及びその輸送装置、これらを利用した養魚システムに関する。
【背景技術】
【０００２】
従来から各種の魚介類を活きたままで輸送し、またそのための種々の方法、装置が提案されている。例えば特許文献１に示す大型魚の保冷輸送方法であり、特許文献２に示す生きている魚介を運搬する方法及び装置であり、特許文献３に示す活魚の運動機能の抑制方法および抑制処理された活魚の保存方法であり、特許文献４に示されたマグロの異常行動防止方法である。
【０００３】
特許文献１に示された方法は、マグロ等の大型魚を吸水性シートにて構成された保冷シートで包み、この保冷シートに形成の分包部に封入の吸水性樹脂から冷気を発してマグロを保冷状態にし、分包部内の発泡樹脂によってマグロの魚体の傷付きを防止するとする。特許文献２に示された方法及び装置は、水を張った貯蔵容器に、生物を生かしておくに使用される様々な技術的機器例えば酸素供給システム、塩分・ｐＨ調節システム、水品質制御システムを輸送モジュールに接続するのであり、この輸送モジュールは標準の輸送コンテナに適合するように設計されるとする。特許文献３に示された抑制方法、保存方法は、針状の道具で魚の鰓蓋の上端部附近を刺突して脊髄に刺すに際し、低周波電流により魚を一時的に麻痺させるとする。特許文献４に示された異常行動防止方法は、環境と接する水槽壁面の透明化、視覚刺激緩衝材の設置、環境中への有色微粒子の存在化等で視覚刺激を緩和して異常行動を防止し、また視覚刺激で水槽面への衝突死を防止するとする。
【先行技術文献】
【特許文献】
【０００４】
【特許文献１】特開平５−３０８８９６号公報
【特許文献２】特表２００５−５０６０６９号公報
【特許文献３】特開２００５−２３０００２１号公報
【特許文献４】特開２００６−１９７８７５号公報
【発明の概要】
【発明が解決しようとする課題】
【０００５】
このような従来の方法、装置、システム等はいずれも一般的な活魚更にはマグロを輸送するに用いられるのであり、特に稚魚の段階における共食いを防止しながら輸送すること、また生育を促進させること等は特に考慮されていない。例えば特許文献１では大型に生育されたマグロを対象としており、多数の稚魚それぞれに個別に対応するには不適当である。特許文献２では貯蔵容器自体が一定容積しか備えていないから、常時回遊する例えばマグロ等を入れる場合には、広い回遊空間を確保できず、しかも魚体表面を傷付けるおそれが十分にある。特許文献３では、活魚の運動機能を抑制することが可能であっても、十分には生育していない稚魚に適用するのは困難である。特許文献４では飼育、保管、輸送時におけるマグロの仔稚魚期、若魚期においての共食い、驚愕行動、衝突死等の異常行動の発生防止に効果があっても、飼育、保管、輸送の基本的システム自体に生じる様々な問題点は何ら解決されていない。
【０００６】
そこで本発明は叙上のような従来存した諸事情に鑑み創出されたもので、その目的は主としてマグロの稚魚を輸送するに際し、エンドレス形状に形成した水流中で生育することで広大な回遊空間を確保して共食いを防止し、ストレスを生じさせず、また個体それぞれの損傷防止等を図ると同時にその輸送中でも生育を促進できるものとする。しかも輸送・移動等に際しての利用のみならず、陸上等の狭隘な場所においても養殖可能なシステムとして設置可能であり、更には観光施設等における鑑賞用にも活用でき、活きたままでの保管時、その飼育時等で良好な生育環境を実現可能な活魚類の輸送方法及びその輸送装置、これらを利用した養魚システムを提供することにある。
【課題を解決するための手段】
【０００７】
上述した課題を解決するため、本発明の活魚類の輸送方法にあっては、連続しているエンドレス状の密閉された流水路２０を形成し、この流水路２０中に生成した一方向にのみ流れる水流中で活魚Ｆを生育しながら輸送することを特徴としたものである。
また、交互に左右の旋回方向を変更しながら連続しているエンドレス状の密閉された流水路２０を形成し、この流水路２０中に生成した一方向にのみ流れる水流中で活魚Ｆを生育しながら輸送することを特徴としたものである。
流水路２０は、設置面に配設した支持部材１０，１１によって支持されており、支持部材（１０，１１）は、例えば外周が円弧状になっている柱状のコア柱体１０であり、立脚されている複数のコア柱体１０それぞれの周囲を半ば巻回するように、相互に並列するコア柱体１０で交互に左右の旋回方向を変更しながら連続しているエンドレス状に形成した密閉された流水路２０中に、一方向にのみ流れる水流を生成し、この水流中で活魚Ｆを生育しながら輸送することを特徴としたものである。
また、その輸送装置にあっては、輸送機関（Ｃ）による輸送スペースに対応して形成された外殻フレーム１と、この外殻フレーム１内で配設される支持部材１０，１１と、この支持部材１０，１１によって支持されることで、交互に左右の旋回方向を変更しながらエンドレス状に連続形成され、一定方向の水流が内部に生成されている密閉された流水路２０とを備えて成ることを特徴とする。
流水路２０は、ほぼ水平状で配置された円弧状の周回部２２と、この周回部２２の端部部位では上下に少なくとも周回部２２の高さ間隔で段差が設定されており、一方の周回部２２の端部は他方の周回部２２の端部に上下方向で傾斜して接続されていて、平面から見て互いに交差させた傾斜状態にある周回接続部２３とを一体状に連続することで構成することができる。あるいは、ほぼ傾斜状で配置された円弧状の周回部２２と、この周回部２２の端部部位ではほぼ同一の高さ位置に設定されており、一方の周回部２２の端部は他方の周回部２２の端部にほぼ水平方向で接続されていて、平面から見て互いに交差させた水平状態にある周回接続部２３とを一体状に連続することで構成することができる。
周回部２２と周回接続部２３とは、直接にあるいは中間接続部２４を介して組立、分離自在に連結することで構成することができる。
流水路２０には、流水路２０に設けた循環取水口４１から流水を取り込み、同じく流水路２０に設けた循環吐出口４４から流水路２０中に一定方向の水流を生じさせて流水を吐出する循環ポンプ４２を備えた水流発生機構３０を設けることができる。
支持部材（１０，１１）は、外周が円弧状になっている柱状のコア柱体１０であり、流水路２０は、並列して対状に配置されているコア柱体１０それぞれの外周に沿っているそれぞれの円弧状の周回部２２と、この周回部２２の端部部位では上下に少なくとも周回部２２の高さ間隔で段差が設定されており、一方の周回部２２の端部は他方の周回部２２の端部に上下方向で傾斜して接続されていて、支持部材（１０，１１）相互の間で平面から見て互いに交差させた状態にある周回接続部２３とを一体状に連続することで構成することができる。
流水路２０内に一定方向の水流を生成する水流発生機構３０が少なくてもいずれか一つのコア柱体１０内に配装されており、この水流発生機構３０は、流水路２０における周回部２２の内周面で流水路２０に連通するようコア柱体１０内に区画形成した水流発生室３１と、この水流発生室３１周囲に旋回流を生成するよう水流発生室３１内に設けたスクリュー体３２と、流水路２０内周面部位で水流発生室３１内とは通水可能にして区画する区画帯３４とを備えることで構成することができる。
一方、活魚類の養魚システムにあっては、エンドレス状に連続形成されて、一定方向の水流が内部に生成されている密閉された流水路２０を備えて成ることを特徴とする。
また、交互に左右の旋回方向を変更しながら配される円弧状の周回部２２と、この旋回方向が異なる周回部２２を相互に接続している周回接続部２３とによって、交互に左右の旋回方向を変更しながらエンドレス状に連続形成されて、一定方向の水流が内部に生成されている密閉された流水路２０とを備えて成ることを特徴とする。
この養魚システムにおいての流水路２０、この流水路２０に配装される水流発生機構３０それぞれは、上記の輸送装置における流水路２０、水流発生機構３０とほぼ同様に構成することができる。
【０００８】
以上のように構成された本発明に係る活魚類の輸送方法及びその輸送装置、これらを利用した養魚システムにあって、エンドレス状で連続している密閉され、一方向のみに流れる水流が生成されている流水路２０内で生育されるマグロ等の活魚Ｆは、流水路２０内で生成される水流に逆らって泳ぐことになり、共食い、衝突死等を未然に防止して、その多くを成魚として生育させる。
密閉構成される流水路２０は、この流水路２０自体を輸送機関（Ｃ）によって輸送可能にし、輸送中でも流水路２０内に波を生じさせず、流水路２０内の活魚Ｆに疲労・損傷等を与えず、その生育を阻害させない。
また、流水路２０が旋回方向が異なるエンドレス状の連続したものとして構成されることで、設置空間を有効に利用させ、単純な一方向での旋回と異なり、交互に旋回方向が異なることで、内部で回遊する活魚Ｆを左右対称的な均整がとれた状態に生育させ、良好なバランス性ある姿形の成魚とさせる。
内部にエンドレスな水流が生成される流水路２０は、全体がコンパクトな外殻フレーム１内で立脚配置する支持部材（１０，１１）によって支持構成され、この外殻フレーム１自体を所定の輸送機関（Ｃ）による輸送スペースに対応することで、様々な輸送機関（Ｃ）による輸送を可能にし、その輸送中でも生育を阻害しないことで、更には陸上での養殖によっても稚魚から幼魚を経ての成魚への生育を円滑にさせる。
流水路２０自体は、支持部材（１０，１１）に沿う円弧状の周回部２２を、支持部材（１０，１１）相互間で周回接続部２３によって接続したエンドレス状に形成されるから、内部で生成される水流に逆らって活魚Ｆを常時泳がせることで、その生育を促進させる。と同時に、エンドレス状の水流は、供給されるエア、給餌、養魚用水の浄化等も流水路２０の全域に渡って満遍なく、円滑に行わせる。
また、水平状あるいは傾斜状に配置される周回部２２、傾斜状あるいは水平状に配置される周回接続部２３、更にはこれらの間に介在され得る中間接続部２４等によって、組立、分離自在に連結される流水路２０は、これらの部材の組合せによって、上下・左右方向の形態、螺旋の形態、直線・曲線の形態等を水路中に部分的に形成して、基本的には無限の∞状を呈する流水路２０を長短にかかわらず、構成させる。しかも、形態・組立・分離の自在性で設置場所の広狭、高低、不定形その他に対応させて構成させ、分解・移動・再組立設置を可能にさせる。
水流発生機構３０は、回転するスクリュー体３２によってコア柱体１０内からコア柱体１０の外周に旋回流を生じさせ、コア柱体１０の外周における流水路２０の周回部２２に強制的な水流を生成し、エンドレス状の流水路２０内で一定向きの水流を効率的に生じさせる。また区画帯３４は、水流発生室３１と、これの外周に形成されている流水路２０の周回部２２とを通水可能にして区画しており、流水路２０内での水流生成の伝達に支障はなくも、活魚Ｆ等が水流発生室３１内に進入するのを防止させる。
流水路２０は、支持部材（１０，１１）に沿って配されることで支持部材（１０，１１）に支持されることによって円滑に流れるエンドレスな流水域を形成させており、また、輸送システムとして、また据付設置システムとして構成することのいずれをも可能にしている。
【発明の効果】
【０００９】
本発明は以上説明したように構成されているため、輸送、据付設置可能にエンドレス形状で形成した密閉された流水路２０の水流中に例えばマグロの稚魚（Ｆ）を放流し、生育するようにしたことで、広大な回遊空間を確保した状態で、例えば輸送でき、その輸送中でも活魚Ｆの飛び出し、共食い等を防止し、活魚Ｆ等にストレスを生じさせず、また個体それぞれの損傷防止等を図ることにより、稚魚を安全確実に輸送でき、しかも輸送中でもその生育を促進できる。そして、稚魚段階のみならず、成魚段階のものでも同様に生育できることで、孵化した稚魚を他の場所で生育させる場合での輸送に好適であるばかりでなく、輸送供給によって新鮮なままの活魚Ｆを提供できる。また、輸送・移動等に際しての利用のみならず、狭隘な場所においても設置可能で、陸上での養殖システムとして利用でき、更には観光施設等における鑑賞用にも活用でき、活きたままでの保管時、その飼育時等で良好な養魚システムとすることができる。
【００１０】
すなわちこれは、本発明において、連続しているエンドレス状の密閉された流水路２０を形成し、この流水路２０中で一方向にのみ流れる水流を生成し、この水流中でマグロの如き活魚Ｆを生育するようにしたからであり、輸送中の生育促進、疲労・損傷の防止、輸送態様それぞれに対応した輸送システムの構築、据付設置による陸上養殖、更に生育とその鑑賞等を可能にする。
【００１１】
しかも、流水路２０自体は、支持部材１０，１１に関連して設けられるから、コア柱体１０、台部材１１等によって例えば外殻フレーム１内で強固に支持される構造のものとさせることで、これを輸送する各種の輸送機関それぞれにおける輸送スペースに対応させるだけで、輸送に適した構成とすることも簡単に構成できる。また、こうした輸送に対応させるだけでなく、据付設置するに際しても、選定する支持部材１０，１１の固定支持で容易に対応できる。
【００１２】
また、流水路２０は、交互に左右の旋回方向を変更しながら連続しているエンドレス状に形成してあるから、流水路２０内で回遊する活魚Ｆは、その回遊中で左右交互に向きを変えることになり、その生育後では左右対称的なバランスがとれた均整な姿形を自然に備えさせることができる。
【００１３】
流水路２０は、水平状あるいは傾斜状の周回部２２と、同様に傾斜状あるいは水平状の周回接続部２３とを直接にあるいは中間接続部２４を介して組立、分離自在に連結してあることで、これらの部材の組合せによって、基本的には無限の∞状を呈する流水路２０を維持しながら、上下・左右方向に流路を変更しながらの形態、螺旋状流路の形態、直線状あるいは曲線状に変更しながらの流路形態等を適宜に組み合わせて、これらを一つの全体水路中に部分的に形成することができる。
【００１４】
しかも、これによって、流水路２０自体を長短にかかわらず構成できるばかりでなく、組立、分離自在に連結されることで、その形態・組立・分離の自在性で設置場所の広狭、高低、不定形その他に対応させた各種形態の流水路２０を構成でき、また分解・移動・再組立設置を可能にさせることで、汎用性に富み、自在な流路空間を構成できる。
【００１５】
また、流水路２０内で一定方向の水流を、例えば養魚用水の流水路２０中からの取水、それを浄化後の流水路２０中への所定速度の吐水による水流発生機構３０によって生成することで、生育させる例えばマグロはその水流に向かうよう泳ぐことになる。そのために、稚魚であっても共食いの虞が少なくなり、適当な運動量を確保することで生育を促進させることができ、衝突死も少なくなることと相俟ち、幼魚、成魚への成長に大きく役立つ。そればかりでなく、浄化機構４０による養魚用水等の浄化、エア供給機構５０によるエア供給、飼料供給機構６０による給餌もその水流を利用することで流水路２０内に満遍なく行き渡せることができ、生育環境を良好にできる。
【００１６】
水流発生機構３０による水流の生成は、コア柱体１０内に設けた水流発生室３１のスクリュー体３２によって水流発生室３１周囲の流水路２０における周回部２２に旋回流を生じさせることで得られるから、流水路２０自体がエンドレス状構成であることと相俟ち、流水路２０内で一定の流速を確保でき、良好な生育環境を構成できる。また、水流発生室３１の周囲は通水可能な区画帯３４で流水路２０の周回部２２と区画されているから、流水路２０中の活魚Ｆが水流発生室３１内に進入することもない。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明を実施するための基本的な実施の形態を示し、特にマグロの稚魚・幼魚の生育に好適なものとした場合であり、その（Ａ）は概略平面図、その（Ｂ）は概略側面図である。
【図２】同じく大量のマグロの稚魚・幼魚の生育に好適なものとした場合であり、その（Ａ）は概略平面図、その（Ｂ）は概略側面図である。
【図３】同じく高速で泳ぐマグロの稚魚・幼魚の生育に好適なものとした場合であり、その（Ａ）は概略平面図、その（Ｂ）は概略側面図である。
【図４】同じく流水路の管路構成の一部の斜視図である。
【図５】同じく陸上輸送時における例えば軽貨物自動車に搭載した場合の一例の概略側面図である。
【図６】同じくその平面図である。
【図７】同じくその正面図である。
【図８】同じく陸上輸送時における例えば大型貨物自動車に搭載した場合の一例の概略側面図である。
【図９】同じく具体的な実施の形態においての平面図である。
【図１０】同じくその側面図である。
【図１１】同じく具体的な他の実施の形態における概略側面図である。
【図１２】同じくその水流発生機構の一例を示す概略斜視図である。
【図１３】同じく観覧用に据付設置した場合の一例を示す概略平面図である。
【図１４】同じくその概略側面図である。
【発明を実施するための形態】
【００１９】
以下図面を参照して本発明を実施するための一形態を説明する。図において示される符号１は活魚Ｆが輸送されるときあるいは活魚Ｆを陸上で養殖させるべく据付設置されるとき等の外郭となる外殻フレームである。この外殻フレーム１によって、これの内部には、支持部材として、図１乃至図３、図８、図１１等に示すように例えば円弧状外周面を有する複数のコア柱体１０が鉛直方向に沿って立脚されている。そして、この複数のコア柱体１０の周囲を半ば巻回するように、相互に並列するコア柱体１０で交互に左右の旋回方向を変更しながら、平面で例えば８字形あるいは∞字形等を呈するエンドレス状に形成される密閉された流水路２０を配装してある。また、流水路２０の支持は、このようなコア柱体１０によらずに、図５乃至図７、図９、図１０に示すように例えば流水路２０の要所でその荷重を下方から支持する支持台、上方から懸垂支持する懸垂台その他の台部材１１であっても良い。
【００２０】
外殻フレーム１は、輸送されるときの輸送機関例えば貨物自動車Ｃ、鉄道車両、海上船舶、航空機その他におけるそれぞれの輸送態様に対応した例えばコンテナ自体として構成される。すなわち、輸送態様に対応する大きさ、形状等に適合すべく、その輸送スペースに対応して形成されるよう、種々なタイプのコンテナとして構成される。輸送されるものとして構成されるときには、可搬性が十分に考慮され、輸送機関におけるそれぞれの輸送仕様に適合する大きさ、荷重等とされることは勿論であり、図５乃至図８に示すように軽貨物、大型貨物等の貨物自動車Ｃの荷台に適合するには、一般的な汎用性あるコンテナに適合する長さ、幅員、高さを備えたものとすることが望ましい。
【００２１】
また据付設置されるときでは、例えば観光施設、観覧施設、養魚・飼育施設等における鑑賞・見学・縦覧、観察・監視等が可能とされるように構成され、使用される。固定的な据付には、所定の基礎工事の実施後にその基礎の上に載置され、輸送されるに際する輸送態様上の制約・制限等はないから、自由な外観を採用でき、例えば飼育する活魚Ｆの外形を模すことも可能である（図１３、図１４参照）。
【００２２】
尚、外殻フレーム１自体は、コア柱体１０、台部材１１、流水路２０等を完全に覆うように形成される必要はなく、長尺材による骨組み構成とされることであっても良い。また、輸送用として構成される場合であれば、この外殻フレーム１によって支持部材１０，１１、流水路２０をしっかりと固定的に支持している堅牢性が要求される。また、この場合には流水路２０周囲を外殻フレーム１によって例えば適当な支持材を介して固定支持することが好適である。据付設置用として構成される場合であれば、コア柱体１０、台部材１１更には流水路２０は外殻フレーム１を支える基礎構造上に外殻フレーム１の支持とは別のものとして独立して立脚構成されていても良く、いずれもその据付設置態様に対応して適宜に構成される。
【００２３】
台部材１１の選定によって、例えばステンレス材・鉄材等によるＬ型アングル材、溝型材等によって、コンテナ等の外郭フレーム１内で内部の床・壁・天井等からの例えば跳ね出し部を介して流水路２０をサポート、固定することで、吊り構造による空中的な設置も可能である。
【００２４】
また、活魚Ｆが輸送されるとき、外殻フレーム１を含めた支持部材１０，１１、流水路２０等の全体は、輸送台２で設けられている横揺れ防止機構３上に支持されるようにしてある。このように横揺れ防止機構３上で支持されることで、養魚用水が充満されている流水路２０更には支持部材１０，１１を外殻フレーム１と共に安定性よく、安全に輸送できるようにしている。尚、横揺れ防止機構３は、例えば曲線ガイド制御付き自然振り子式と、空気バネ圧制御式の傾斜矯正システムを組み合わせたものであり、例えば８度程度の傾斜があっても復元できるようにしてある。また、輸送時に限らず、固定式の据え付け時でも、免震ゴムその他の免震部材の介在によって、流水路２０には振動が伝達されないように配慮する。
【００２５】
流水路２０自体は、前述したように平面で例えばほぼ∞あるいは８字形状を呈したり、円周状を呈したりするエンドレス形状に構成される。すなわち、隣り合った並列状態で対状に配置されている円周路部を相互間でほぼ密閉状にして連続させるよう、円周部に沿っているそれぞれの円弧状（その多くはほぼ円周に近い形状となる）の周回部２２と、この周回部２２の端部位置である円周路部相互の間部位では上下に少なくとも周回部２２の高さ間隔で段差が設定されており、一方の周回部２２の端部は他方の周回部２２の端部に上下方向で傾斜して接続されていて、円周路部相互の間で平面から見て互いに傾斜交差させた状態にある周回接続部２３とを一体状に連続することで構成されている。この場合の周回部２２は、ほぼ水平状に配置形成されたものとなっている。
【００２６】
あるいは、この流水路２０は、ほぼ傾斜状で配置された円弧状の周回部２２と、この周回部２２の端部部位ではほぼ同一の高さ位置に設定されており、一方の周回部２２の端部は他方の周回部２２の端部にほぼ水平方向で接続されていて、平面から見て互いに水平交差させた状態にある周回接続部２３とを一体状に連続することで構成することができる（図５乃至図７参照）。
【００２７】
また、流水路２０内は外部とは密閉されており、内部に充満される養魚用水が所定の流速で循環されるときでも、内部には波が発生しないようにして、波、更にその振動等による共振に起因するような活魚Ｆの損傷、死滅等が生じないように配慮してある。これは、特に輸送機関（Ｃ）等によって輸送されるときの振動その他によって生じ得る造波現象を未然に阻止し、活魚Ｆのみならず、流水路２０、支持部材１０，１１その他の損傷防止にも有効なものとする。
【００２８】
流水路２０における周回部２２の径は、これによって回遊する活魚Ｆ例えばマグロ、特にその稚魚が回遊するに支障がない程度の旋回径に比し小さくないことが望ましい。
【００２９】
そして、図１に示すように流水路２０において、一対で並列配置される円周路部相互が流水路２０の幅間隔で離間されている場合には、周回接続部２３は隣り合う円周路部相互間を円滑に接続するように平面から見て円弧状に湾曲している。このタイプは、マグロであれば、孵化したばかりの２〜３ｍｍ程度の稚魚・幼魚、更には孵化から２５日未満程度の稚魚・幼魚を輸送したり、生育したりする場合に好適である。また、図２に示すように３個以上で並列配置される円周路部である場合には、一方の端部に配置される端部側円周路部に沿う周回部２２はほぼ円形状であり、中央部に配置される中央円周路部に沿っていて、端部側円周路部それぞれの周回部２２に連続する周回部２２は、ほぼ対称的な半円形状に形成され、他方の端部に配置される端部側円周路部の周回部２２は、前記一方の端部側円周路部の周回部２２とは湾曲方向が逆向きとされている。このタイプは、同様に大量の稚魚・幼魚を輸送したり、生育したりする場合に好適である。更には、図３に示すように一対で並列配置される円周路部相互が流水路２０の幅間隔以上で離間されている場合には、周回接続部２３は平面から見てほぼ直線状に形成されている。このタイプは、同様に孵化から２５日目以降の稚魚（ヨコワ）の泳ぎが高速であるものの輸送、生育に好適である。これらの各タイプとも、マグロが生育している自然の生育環境に相応しい環境を人工的に構成し、輸送中でもその生育環境を実現している。
【００３０】
尚、いずれにしても周回部２２はその全体がほぼ水平方向に沿って配置形成されている必要はなく、場合によっては並列する円周路部における周回部２２相互間では周回接続部２３を介しての、望ましくは緩やかな傾斜が形成されて連続した流水路２０が形成されていても良い。また、支持部材１０，１１それぞれで支持されている流水路２０全体ではほぼ一定高さ位置に配置されるようにされ、周回部２２の少なくとも一部で、更には周回接続部２３それぞれで下り傾斜、上り傾斜が設定されていて、一周することで元の高さ部位に戻るようになっている。
【００３１】
また、図示のように周回部２２、周回接続部２３を直接に連結したり、あるいは中間接続部２４を介して間接に接続したりして組立、分離自在に連結することで流水路２０を構成でき、これらの部材２２，２３，２４の接続は、部材端に形成してあるフランジ部を介して所定の連結部材等によって水密状に連結するものとしてある。このとき、図示を省略したが、中間接続部２４の形状・構造の選定等によって、流水路２０中の一部に、流水路２０の∞状の構成を維持しながら、例えば上下・左右方向に案内する形態、螺旋状に巻回する形態、直線・曲線的に案内する形態等を呈する流路を部分的に形成してもよい。また、こうした種々の流路形態を採用することで、基本的には無限の旋回方向が同一な円周の如きループ状、あるいは∞状を呈する流水路２０を長大なものとすることも可能であり、こうすることで長短にかかわらず構成できるものとなる。しかも、このように各部材２２，２３，２４の種々な組合せによる形態・組立・分離の自在性で設置場所の広狭、高低、不定形その他に対応させた最適な流水路２０を構成できると共に、分解・移動・再組立設置を可能にさせて、可搬性を増大できるようにしてある。
【００３２】
尚、流水路２０は、これの全体が同一大きさの同形状の断面形を呈する場合に限らず、部分的にでもその大きさに大小があったり、異形の断面形を呈したりするものであっても良い。
【００３３】
このような流水路２０自体は、断面で例えばほぼ円形筒状を呈し、外部からの活魚Ｆの鑑賞、監視、観察等が可能なように、例えば直線部分はアクリル樹脂管、曲線部分は心材をＰＶＣ樹脂板とするＦＲＰ樹脂管等の強化プラスチック複合材、アクリル樹脂材、ガラス材等の透明素材によって、外部とは遮断された密閉状態のものとして、また内部に充満される養魚用水の水圧に十分に耐え得る強度性を備えたものとして形成されている。また流水路２０内には、海水の如き養魚用水が充満されるから、この養魚用水の重量と共に少なくてもこれらを支持するに足りる堅牢性を前記の支持部材１０，１１は備えている。
【００３４】
また、特に曲線部分においては、その内側面にウレタン樹脂材、シリコン樹脂材等の柔軟性素材による緩衝層を形成しておくと良く、活魚Ｆ自身の接触、衝突等による損傷率、致死率等の低減を図るようにしてある。
【００３５】
この流水路２０の内側面には流水路２０内の養魚用水中にエアを供給する後述のエア供給機構５０のエア噴出管２１が配管されている。このエア噴出管２１は、図４に示すようにエアを噴出させる噴出孔が開穿されていて、流水路２０の内側面に流水路２０の長さ方向に沿って所定数本にして、また流水路２０の周方向で適当間隔毎に配管固定されており、回遊するマグロが当たることがあってもマグロ自体には傷を与えることがないように例えば円弧状外形を備えているように配慮してある。尚、このエア噴出管２１自体は、流水路２０の管壁自体内に形成されることもある。
【００３６】
図５乃至図７において、比較的に小型の、例えば所謂軽貨物自動車の荷台におけるコンテナである外殻フレーム１内に小型の流水路２０を支持構成した場合を示している。この実施の形態において、底面に自在車及び伸縮式ストッパーが取り付けられている機枠フレーム１５で囲繞された底盤１６上にサポート材１７によって平面で∞状を呈する流水路２０を支持構成したものである。この実施の形態は、周回部２２を傾斜状にし、上下で交差する周回接続部２３を水平状にそれぞれ形成すると共に、周回部２２と周回接続部２３とをフランジ連結材２５にて接続構成して成る。また、図示例の周回部２２、周回接続部２３それぞれは所定径、所定長さの直線状、円弧状のパイプ材を例えば連結筒等にて連結することで形成されている。
【００３７】
この流水路２０にあっては、流水路２０内の養魚用水を取水して濾過した後に所定速度で再度給水するようにした浄化機構４０、エア供給機構５０、飼料供給機構６０等が配装されており、これらの機構４０，５０，６０は制御機構７０によって操作、制御されるようにしてある。
【００３８】
また、図８においては、大型の貨物自動車におけるコンテナである外殻フレーム１内に台部材１１によって流水路２０を支持構成した場合を示しており、端部にほぼ半円状の一つの周回部２２をそれぞれ配置し、中央部に対称的な半円状の一対の周回部２２を配置し、その間を周回接続部２３にて接続すると共に、それぞれの周回部２２をコア柱体１０にて支持構成したものである。
【００３９】
図９、図１０において示される実施の形態において、コンテナ内に収納配置できる大きさ、長さにして流水路２０を形成してあり、この流水路２０における円周路部内に、浄化機構４０、エア供給機構５０、飼料供給機構６０等が配装されている。浄化機構４０は、例えば流水路２０の所定位置に設けた循環取水口４１、この循環取水口４１に接続された取水管に連結した濾過器４３、濾過器４３内に養魚用水を取り込み、吐出排水する循環ポンプ４２、循環ポンプ４２に連結された吐出管を流水路２０の所定位置に設けた循環吐出口４４に接続して成り、循環吐出口４４においては、流水路２０内における流水方向に沿うようにして濾過後の例えば海水成分等による養魚用水等が吐出されるものとして、水流を形成ないし増速させるようにしてある。尚、濾過器４３には弁の開閉・切換等による逆洗浄３方弁４６が設けられていて、濾過器４３の洗浄が行われるようにしてあり、また例えば紫外線殺菌装置４５も付設されている。
【００４０】
浄化機構４０では、その濾過器４３によって、活魚Ｆからの排出物で養魚用水中に蓄積されるアンモニア等を生物濾過、すなわちバクテリアを繁殖させてアンモニアを亜硝酸に変換させ、アンモニア・亜硝酸を更にバクテリアによって硝酸塩に変換させて活魚Ｆにとって無害なものとさせるようにしている。
【００４１】
循環吐出口４４は、図４に示すように流水路２０中に一定方向に沿う水流を形成するように、流水方向の前方に向けられて開口されており、流水路２０壁に所定間隔毎に配設され、吐出管に設けた吐出調整バルブの調整設定で、活魚Ｆの種類、生育状況その他に対応した流速、流量等に変更できるようにしている。また、この循環吐出口４４の配設位置は、アンモニア等の排出物が流路中で沈殿しやすい位置、活魚Ｆ等が互いに衝突しやすい場所に設定することで、成育中、搬送中その他での致死率の低減が図れるように配慮している。
【００４２】
エア供給機構５０は、例えば前記エア噴出管２１から所定量のエアを噴出供給するようにしてあり、このエア供給機構５０による噴出エアの噴出圧で流水路２０内の養魚用水中に酸素を供給し、所定の酸素濃度が得られるようにしてある。
【００４３】
飼料供給機構６０は、例えば流水路２０における最上位置に開閉自在に設けられた投入口６１を備えて成り、生態管理口を兼用する。
【００４４】
更には、点検作業用ハッチ６５、浮遊塵埃その他のゴミ等を捕捉・除去するための排水口６６等が着脱自在、開閉自在に設けられている。
【００４５】
また、図例のように、流水路２０を構成すべく並列配置されることで対となる円周路部の周回部２２では、これの途中位置に介在されるように、平面から見て直線状の前記の中間接続部２４を連結してあり、こうすることで流水路２０自体の延長と、円周路部内側に配置する例えば浄化機構４０、エア供給機構５０、飼料供給機構６０それぞれの各種機器の設置・点検等のための作業空間等の確保とを可能にする。
【００４６】
図１１、図１２において、平面で一部が円弧状を呈する周回部２２となっている流水路２０を、その周回部２２の内方側からコア柱体１０によって支持することで流水路２０全体を固定保持している。すなわち流水路２０を周回部２２の内方側から支持することでコア柱体１０自体の外周に流水路２０を巻回させた状態でその荷重を支持すると共に、コア柱体１０内に、流水路２０中に所定のエンドレスな流水を発生形成させる水流発生機構３０と、流水路２０中の養魚用水を浄化する浄化機構４０、養魚用水中に所定量のエアを供給するエア供給機構５０、活魚等に対する餌等を投入する飼料供給機構６０その他とを設けてある。
【００４７】
コア柱体１０自体は、断面で所定径の円形状あるいは楕円形状等を呈する所定高さの柱状に形成されていて、外殻フレーム１内で少なくとも流水路の径・幅員を隔てて対状にして並列された１組として配置される。もとより、１組として並列配置されて、その１組毎でエンドレスな流水路を支持形成するにつき、それが並列して更に幾つかの周回状の流水路部分が一体状に接合する場合（例えば図２参照）、並列するコア柱体１０それぞれが並列する組のそれぞれを兼用して構成することも含まれる。尚、このコア柱体１０によって流水路２０の荷重を支持するものとしても、適当な支持台１１との併置によって支持を一層確実にできる。
【００４８】
流水路２０中の海水の如き養魚用水に対し、一定方向の強制的な流れを発生させる水流発生機構３０が少なくともいずれか一つのコア柱体１０内に配装されている。この水流発生機構３０は図１２に示すように、流水路２０における周回部２２の内周面で流水路２０に連通するようコア柱体１０内に区画形成した水流発生室３１と、この水流発生室３１周囲に旋回流を生成するよう水流発生室３１内に設けたスクリュー体３２と、流水路２０内周面部位で水流発生室３１内とは通水可能にして区画する区画帯３４とを備える。
【００４９】
水流発生室３１は、流水路２０内とはその養魚用水が共通して流通・対流されるようになっており、外周が流水路２０内周とほぼ一致し、その部位に前記の区画帯３４を設けてある。区画帯３４自体は、養魚用水を流通させるも、活魚Ｆ、例えばマグロ、その稚魚であっても出入りは不可能なものとしてある。このようにして流水路２０とは通水可能にして区画されている水流発生室３１は、例えばドライエリア域として構成されるコア柱体１０におけるその他の内部あるいは外部とは水密的に区画される。
【００５０】
スクリュー体３２は、その回転で周囲に回転する旋回流を生成するよう、例えば円盤状本体の上面あるいは下面に湾曲した複数の羽根片を放射状に配した、ボルテックス羽根車としてあり、水流発生室３１内あるいは水流発生室３１外に設置したモータの如き駆動源３３によって所定回転数で従動回転するものとしてある。また、このスクリュー体３２による旋回流は水平面に沿うものとしてあり、生成された旋回流は流水路２０における周回部２２の内周面の通水部位である区画帯３４全域を経て流水路２０内に伝達される。尚、このボルテックス羽根車は、図１２に示すように鉛直方向に沿って複数段にして配装することもでき、水流発生室３１周囲に旋回流を生成し、流水路２０内に一定方向の強制的な水流を生じさせる。
【００５１】
区画帯３４は、水流発生室３１の外周面と流水路２０における周回部２２の内周面との間に例えば円形状にして配置され、区画帯３４自体は例えば合成樹脂材によるネット材にて形成され、その網目は活魚Ｆ、例えばマグロの稚魚の大きさに比し大きくはなく、生育する活魚Ｆが流水路２０内から水流発生室３１内に進入しないようにしている。また、この区画帯３４は、旋回水流が水平面に沿ったものとして生成されることに対応して、区画部位で水平面に沿う方向で配置されている。
【００５２】
尚、スクリュー体３２としての図示例はボルテックス羽根車としてあるも、これに限定されるものではなく、例えば水流の後方に向かうように区画帯３４に沿って配列される複数の噴水口等を備えたものとしたり、回転する羽根車のものとしたり、区画帯３４に沿って旋回するベルトスクリューのものとしたり等の適宜な変更が可能である。
【００５３】
また、この水流発生機構３０は一つのコア柱体１０に設けることで足りるも、場合によっては他のコア柱体１０にも設けることができ、複数の水流発生機構３０によって流水路２０内に一定方向に向かう所定速度の水流を生成できる。
【００５４】
一方、浄化機構４０、エア供給機構５０、飼料供給機構６０等は、一つのコア柱体１０に水流発生機構３０が設けられるとき、他のコア柱体１０に配装されることが予定されるも、これに限定されるものではない。
【００５５】
浄化機構４０は、例えば流水路２０におけるコア柱体１０周囲に沿う内周面に開口形成された循環取水口４１と、同様に開口形成された循環吐出口４４と、循環取水口４１、循環吐出口４４相互間で接続されている浄化管に配装されている濾過器４３とを備えて成る。濾過器４３は、コア柱体１０内に配置されるも、コア柱体１０外に配置されるも任意であり、養魚用水中から除去された各種の夾雑物その他は夾雑物タンク内に堆積され、機外に廃棄される。
【００５６】
エア供給機構５０は、前記エア噴出管２１に接続されるエアコンプレッサーの如きエア供給源５１と、このエア供給源５１に接続されて、エア噴出管２１に増圧エアを供給するエア増圧機５２と、流水路２０内のエア圧を調整するように流水路２０に設けられたエア調圧機５３とを備える。もとより、このエア供給機構５０によるエアの流水路２０内への供給は、前記したエア噴出管２１を経ることなく、流水路２０内の適位置に強制的に噴出させることも可能であり、その供給形態は限定されるものではない。尚、エア調圧機５３は、流水路２０における例えば最上部位の高さ位置に配置され、流水路２０内の過大なエア圧を放出させることで適正なエア圧を維持するようにしている。
【００５７】
飼料供給機構６０は、生育させる活魚Ｆ、例えばマグロの生育に適する各種の飼料・餌等を給餌するもので、流水路２０内に通じる給餌口を備えており、投入・供給された飼料等は流水路２０内で生成されている水流によって流水路２０内全域に散布されるようにしている。
【００５８】
また、更には流水路２０内の養魚用水を一定水温あるいは一定範囲内の水温に維持する水温維持機構も設けられている。
【００５９】
図１３、図１４においては、例えば水族館施設、観光施設、レジャー施設その他において、据付設置される場合の一例を示しており、マグロを模した建屋内に、孵化した稚魚・幼魚等が回遊しており、これが生育されている様子を鑑賞・観覧させる稚魚生育区域７１、また、主として成魚が回遊し、生育されている様子を鑑賞・観覧させる成魚生育区域７２それぞれを区画構成する。稚魚生育区域７１では、上記した支持部材１０，１１、流水路２０、水流発生機構３０、浄化機構４０、エア供給機構５０、飼料供給機構６０等から成る稚魚生育システムを設置し、成魚生育区域７２では、例えば大型の円柱形状の養魚槽７５の中央部に、回転翼を備えた水流発生機７６を区画ネット７７にて区画させて配装し、養魚槽７５内周面に沿って旋回流を生成し、これにマグロが向かって泳ぐようにする。尚、この養魚槽７５においてもその生育環境を整えるように浄化、エア供給、給餌その他が行われるようにその諸機構が備えられているのは勿論である。また、図中符号７８は、流水路２０と養魚槽７５とを連通させている連絡水路であり、例えば流水路２０中で成魚化されたマグロを養魚槽７５中に案内させる。
【００６０】
このように、生育段階で異なる状態のマグロを鑑賞可能にすることで、例えば本マグロ（黒マグロ）である場合に、直径が約１ｍｍである卵の段階から３１時間で孵化して全長が約２．８ｍｍとなる稚魚段階を経て、約１年で５０ｃｍとなり、３年で約２．５ｍとなる成魚段階までの生育環境、その他を理解できるものとなり、またその生育によって自然環境の維持の重要性をも理解させ得る。
【００６１】
次にこれの使用の一例を説明するに、活魚Ｆとして例えば孵化した稚魚を輸送する際には、その輸送形態が陸上輸送の貨物自動車Ｃ、例えば軽タイプ、大型・中型・小型トレーラータイプのいずれの場合であるか、海上輸送であるときのいずれの場合のコンテナ仕様であるか、航空輸送であるときの貨物室のいずれの場合の貨物スペースであるか、その他によって外殻フレーム１の外形、大きさ等が設定され、それに対応するコア柱体１０あるいは台部材１１のいずれかにより流水路２０を支持構成し、流水路２０を構成して予め用意する。このときの流水路２０は、稚魚・幼魚・成魚のいずれであるか、また輸送日数による生育予想の元で上記した各タイプのいずれかの流水路２０が選択される。輸送に際し、横揺れ防止機構３を装備して輸送中における横揺れその他を防止して輸送台２上からの脱落、流水路２０内での養魚用水等の振動その他が生じないように配慮する。
【００６２】
一方、据付設置する際には、同様に活魚Ｆが稚魚・幼魚・成魚のいずれであるかによって、タイプが異なる流水路２０のいずれかの選択、その大きさ、支持部材１０，１１による支持構成、バランス更には他の養魚設備との連繋その他を考慮して適宜に設定し、構築すれば良い。
【符号の説明】
【００６３】
Ｃ…貨物自動車                          Ｆ…活魚
１…外殻フレーム                        ２…輸送台
３…横揺れ防止機構
１０…コア柱体                          １１…台部材
１５…機枠フレーム                      １６…底盤
１７…サポート材
２０…流水路                            ２１…エア噴出管
２２…周回部                            ２３…周回接続部
２４…中間接続部                        ２５…フランジ連結材
３０…水流発生機構                      ３１…水流発生室
３２…スクリュー体                      ３３…駆動源
３４…区画帯
４０…浄化機構                          ４１…循環取水口
４２…循環ポンプ                        ４３…濾過器
４４…循環吐出口                        ４５…紫外線殺菌装置
４６…逆洗浄３方弁
５０…エア供給機構                      ５１…エア供給源
５２…エア増圧機
６０…飼料供給機構                      ６１…投入口
６５…点検作業用ハッチ                  ６６…排水口
７０…制御機構
７１…稚魚生育区域                      ７２…成魚生育区域
７５…養魚槽                            ７６…水流発生機
７７…区画ネット                        ７８…連絡水路
【図１】
2011062130.tif 000003
【図２】
2011062130.tif 000004
【図３】
2011062130.tif 000005
【図４】
2011062130.tif 000006
【図５】
2011062130.tif 000007
【図６】
2011062130.tif 000008
【図７】
2011062130.tif 000009
【図８】
2011062130.tif 000010
【図９】
2011062130.tif 000011
【図１０】
2011062130.tif 000012
【図１１】
2011062130.tif 000013
【図１２】
2011062130.tif 000014
【図１３】
2011062130.tif 000015
【図１４】
2011062130.tif 000016